(57)【要約】【課題】複数のユーザのそれぞれに対して個別に画像を表示する。【解決手段】画像表示装置は、画像を表示する画像表示部と、ユーザの位置を検出する位置検出部と、位置検出部によって検出された位置に応じて、画像表示部が表示する画像の視野角を設定する制御部とを備える。【選択図】図１
2013061401.tif 000002
【特許請求の範囲】
【請求項１】
画像を表示する画像表示部と、
ユーザの位置を検出する位置検出部と、
前記位置検出部によって検出された前記位置に応じて、前記画像表示部が表示する画像の視野角を設定する制御部と
を備えることを特徴とする画像表示装置。
【請求項２】
前記制御部は、
前記位置検出部によって検出されたそれぞれの前記位置に応じて、それぞれの前記視野角を設定する
ことを特徴とする請求項１に記載の画像表示装置。
【請求項３】
前記ユーザの属性を検出する属性検出部と、
前記属性検出部によって検出された属性に基づいて、前記画像表示部に表示させる画像を変更する変更部と、
を備えることを特徴とする請求項１または請求項２に記載の画像表示装置。
【請求項４】
前記変更部は、
前記属性検出部によって検出されたそれぞれの前記属性に基づいて、前記画像をそれぞれ変更する
ことを特徴とする請求項３に記載の画像表示装置。
【請求項５】
前記変更部は、
前記属性に基づいて、複数の画像のうちから、前記画像表示部に表示させる画像を選択して、前記画像表示部に表示させる画像を変更する
ことを特徴とする請求項３または請求項４に記載の画像表示装置。
【請求項６】
前記変更部は、
前記属性に基づいて、前記画像表示部に表示させる画像を変換して、前記画像表示部に表示させる画像を変更する
ことを特徴とする請求項３から請求項５のいずれか１項に記載の画像表示装置。
【請求項７】
前記変更部は、
前記属性に基づいて、前記画像表示部に表示させる画像を遮断して、前記画像表示部に表示させる画像を変更する
ことを特徴とする請求項３から請求項６のいずれか１項に記載の画像表示装置。
【請求項８】
前記変更部は、
複数の前記属性が、互いに共通する属性を含む場合には、前記共通する属性に基づいて、前記画像表示部に表示させる画像を変更する
ことを特徴とする請求項３から請求項７のいずれか１項に記載の画像表示装置。
【請求項９】
前記変更部は、
複数の前記位置が、互いに近接している場合には、前記共通する属性に基づいて、前記画像表示部に表示させる画像を変更する
ことを特徴とする請求項８に記載の画像表示装置。
【請求項１０】
前記位置が検出された場合に、音を出力する音出力部
を備えることを特徴とする請求項１から請求項９のいずれか１項に記載の画像表示装置。
【請求項１１】
前記音出力部は、設定される前記視野角に基づいて、出力する音の指向角を設定する
ことを特徴とする請求項１０に記載の画像表示装置。
【請求項１２】
前記音出力部は、設定される前記視野角に基づいて、出力する音の音量を設定する
ことを特徴とする請求項１０または請求項１１に記載の画像表示装置。
【請求項１３】
前記制御部は、
設定する前記視野角に応じて、前記画像表示部から発せられる光の方向を設定することにより、前記視野角を設定する
ことを特徴とする請求項１から請求項１２のいずれか１項に記載の画像表示装置。
【請求項１４】
前記制御部は、
前記光の、予め定められる複数の方向のうちから、設定する前記視野角に応じて、いずれかの方向を選択することにより、前記光の方向を設定する
ことを特徴とする請求項１３に記載の画像表示装置。
【請求項１５】
前記視野角は、
前記ユーザの進行方向に応じて定められる
ことを特徴とする請求項１から請求項１４のいずれか１項に記載の画像表示装置。
【請求項１６】
前記制御部は、
前記視野角を設定した後に、前記位置検出部によって検出された前記位置が変化した場合には、変化した当該位置に応じて、前記視野角を設定する
ことを特徴とする請求項１から請求項１５のいずれか１項に記載の画像表示装置。
【請求項１７】
前記位置検出部によって検出される前記位置には、前記ユーザの身長を示す情報が含まれており、
前記制御部は、
検出された前記位置に含まれる前記ユーザの身長を示す情報に基づいて、前記視野角を設定する
ことを特徴とする請求項１から請求項１６のいずれか１項に記載の画像表示装置。
【請求項１８】
前記ユーザに所持される可搬媒体であって、受信される情報に応じた画像が表示される表示部を有する可搬媒体に、情報を送信する送信部
を備え、
前記制御部は、
前記位置検出部によって前記位置が検出された場合に、検出された前記位置を基準にして前記画像表示部が設置されている位置を示す情報を、前記送信部を介して前記可搬媒体に送信する
ことを特徴とする請求項１から請求項１７のいずれか１項に記載の画像表示装置。
【請求項１９】
前記位置を示す情報には、前記可搬媒体が前記ユーザに所持されている方向を示す情報が含まれており、
前記位置検出部は、前記位置に加えて前記方向を検出し、
前記制御部は、
前記位置検出部によって前記位置及び前記位置が検出された場合に、検出された前記位置及び前記方向を基準にした、前記画像表示部が設置されている位置の方向を示す情報を、前記送信部を介して前記可搬媒体に送信する
ことを特徴とする請求項１８に記載の画像表示装置。
【請求項２０】
前記制御部は、
前記位置検出部によって検出された前記位置または前記方向が変化した場合に、検出された前記位置及び前記方向を基準にした、前記画像表示部が設置されている位置の方向を示す情報を、前記送信部を介して前記可搬媒体に送信する
ことを特徴とする請求項１９に記載の画像表示装置。
【請求項２１】
前記ユーザに所持される可搬媒体であって、当該可搬媒体の位置を示す位置情報を検出する位置情報検出部を有する可搬媒体から、前記位置情報を受信する位置受信部
を備え、
前記位置検出部は、
前記位置受信部を介して受信した位置情報に基づいて、前記ユーザの位置を検出する
ことを特徴とする請求項１から請求項２０のいずれか１項に記載の画像表示装置。
【請求項２２】
前記画像表示部に表示される画像がユーザにより視認される範囲を撮像し、撮像した画像を出力する位置撮像部を備え、
前記位置検出部は、
前記位置撮像部によって撮像された画像に、顔の画像が含まれる場合に、当該顔の画像に基づいて前記ユーザの位置を検出する
ことを特徴とする請求項１から請求項２１のいずれか１項に記載の画像表示装置。
【請求項２３】
予め定められた位置を前記ユーザが通過したことを検出する通過検出部
を備え、
前記位置検出部は、
前記通過検出部によって前記ユーザが通過したことが検出された場合に、前記予め定められた位置に基づいて、前記ユーザの位置を検出する
ことを特徴とする請求項１から請求項２２のいずれか１項に記載の画像表示装置。
【請求項２４】
前記通過検出部によって前記ユーザが通過したことが検出された場合に、前記画像表示部が設置されている位置を示す画像を表示する補助表示部
を備えることを特徴とする請求項２３に記載の画像表示装置。
【請求項２５】
前記属性検出部によって検出される前記属性には前記ユーザの身長を示す情報が含まれ、
前記変更部は、
検出された前記属性に含まれる前記ユーザの身長を示す情報に基づいて、前記画像表示部に表示させる画像を変更する
ことを特徴とする請求項３に記載の画像表示装置。
【請求項２６】
前記ユーザに所持される可搬媒体であって、当該ユーザの属性を示す情報が予め記憶されている可搬媒体から、当該情報を受信する属性受信部
を備え、
前記属性検出部は、
前記属性受信部を介して当該可搬媒体から受信した当該ユーザの属性を示す情報に基づいて、前記属性を検出する
ことを特徴とする請求項３に記載の画像表示装置。
【請求項２７】
前記画像表示部に表示される画像が視認される範囲を撮像し、撮像した画像を出力する属性撮像部を備え、
前記属性検出部は、
前記属性撮像部によって撮像された画像に、前記ユーザの画像が含まれる場合に、当該ユーザの画像に基づいて前記属性を検出する
ことを特徴とする請求項３に記載の画像表示装置。
【発明の詳細な説明】
【技術分野】
【０００１】
本発明は、画像表示装置に関する。
【背景技術】
【０００２】
複数のユーザに対して画像を表示するデジタルサイネージ（電子看板）がある（例えば、特許文献１）。
【先行技術文献】
【特許文献】
【０００３】
【特許文献１】特開平１０−１４３０８０号公報
【発明の概要】
【発明が解決しようとする課題】
【０００４】
ところで、宣伝効率の向上のため、ユーザ毎に個別の画像を提供できる画像表示装置が要望されている。さらに、宣伝効率の向上のため、歩行することなどにより自身の位置を変更するユーザに対しても、ユーザ毎に個別の画像を提供できる画像表示装置が要望されている。
しかしながら、上述した画像表示装置は、単に、複数のユーザに対して画像を表示するものであるため、ユーザ毎に個別の画像を提供することができない。また、位置を変更するユーザに対しても、ユーザ毎に個別の画像を適切に提供できないという問題があった。
【０００５】
本発明は、上記問題を解決すべくなされたもので、その目的は、位置を変更するユーザに対して、ユーザ毎に個別の画像を表示できる画像表示装置を提供することにある。
【課題を解決するための手段】
【０００６】
本発明の一実施形態は、画像を表示する画像表示部と、ユーザの位置を検出する位置検出部と、位置検出部によって検出された位置に応じて、画像表示部が表示する画像の視野角を設定する制御部とを備えることを特徴とする画像表示装置である。
【発明の効果】
【０００７】
本発明によれば、位置を変更するユーザに対して、ユーザ毎に個別の画像を表示できる画像表示装置を提供することができる。
【図面の簡単な説明】
【０００８】
【図１】第１の実施形態に係る画像表示装置の一例を示す構成図である。
【図２】変更部の構成の一例を示す構成図である。
【図３】画像表示ユニットと視野角との関係の一例を示す模式図である。
【図４】視野角とユーザの進行方向との関係の一例を示す模式図である。
【図５】同実施形態に係る画像表示装置の動作の一例を示すフローチャートである。
【図６】補助表示部を備えている画像表示装置の一例を示す構成図である。
【図７】第２の実施形態に係る画像表示装置の一例を示す構成図である。
【図８】第３の実施形態に係る画像表示装置の一例を示す構成図である。
【図９】同実施形態に係る画像表示装置の動作の一例を示すフローチャートである。
【図１０】ユーザの移動に応じて視野角を設定する例を示す模式図である。
【図１１】送信部を備えている画像表示装置の一例を示す構成図である。
【図１２】ユーザの身長と視野角との関係の一例を示す構成図である。
【図１３】位置撮像部を備えている画像表示装置の構成の一例を示す構成図である。
【図１４】ユーザの身長を検出する属性検出部を備えている画像表示装置の構成の一例を示す構成図である。
【図１５】属性撮像部を備えている画像表示装置の構成の一例を示す構成図である。
【発明を実施するための形態】
【０００９】
［第１の実施形態］
以下、図面に基づき、本発明の第１の実施形態を説明する。
【００１０】
［画像表示装置の構成］
図１は、本実施形態に係る画像表示装置１の一例を示す構成図である。
図１に示すように、本実施形態に係る画像表示装置１は、例えば駅の改札口付近の壁面などに備えられる電子看板である。
画像表示装置１は、画像表示部１０を備え、複数の駅利用者（ユーザ）に同時に、例えば広告などの画像を表示して情報を提供する。
【００１１】
本実施形態において、改札口には、複数の自動改札機３として自動改札機３Ａと自動改札機３Ｂとが、画像表示装置１の画像表示ユニット１４に向かって横一列に設置されている。
画像表示部１０は、画像表示部１０が表示する画像を、自動改札機３を通るユーザが視認することができる位置に設置されている。
それぞれのユーザは、改札される切符としてＩＣカード（可搬媒体）５を所持している。
【００１２】
ＩＣカード５は、予め情報が記憶されている記憶部５０１を備えている。
記憶部５０１には、改札に必要な情報のほか、そのＩＣカード５を所有するユーザの属性の情報が、情報の記憶単位であるフィールドごとに予め記憶されている。例えば、記憶部５０１の改札情報フィールドには、改札に必要な入出場記録を含む情報が予め記憶されている。また、例えば、記憶部５０１の属性情報フィールドには、ユーザの属性として、例えばユーザの性別を含む情報が予め記憶されている。ここで、ユーザの属性には、例えば性別、年齢、身長、趣味、出身地、住所、メールアドレスなどが含まれる。
【００１３】
自動改札機３Ａは、ユーザが所有するＩＣカード５と非接触通信をおこなって、記憶部５０１の各フィールドに記憶されている情報を、フィールドと関連付けて読み出す非接触通信部４Ａを備えている。同様に自動改札機３Ｂは、非接触通信部４Ｂを備えている。
【００１４】
非接触通信部４は、センサ（通過検出部）１００と、センサ（属性受信部）１２０とを備えている、通信アンテナである。センサ１００は、非接触通信部４にＩＣカード５が、かざされた場合に生じる電磁界の変化を検出するアンテナ素子として、例えばループコイルを備えている。センサ１００は、位置検出部２０に接続され、アンテナ素子が検出した電磁界の変化を電流に変換して、位置検出部２０に出力する。ここで、センサ１００Ａは、非接触通信部４Ａに備えられるセンサ１００である。同様に、センサ１００Ｂは、非接触通信部４Ｂに備えられるセンサ１００である。
【００１５】
また、ユーザＡ及びユーザＢは、画像表示部１０が設置されている位置に向かってそれぞれ移動しているユーザである。ユーザＡは、自動改札機３Ａの非接触通信部４Ａに、所持するＩＣカード５Ａをかざして、自動改札機３Ａを通過しているユーザである。同様に、ユーザＢは、自動改札機３Ｂの非接触通信部４Ｂに、所持するＩＣカード５Ｂをかざして、自動改札機３Ｂを通過しているユーザである。
【００１６】
画像表示装置１は、画像表示部１０と、位置検出部２０と、属性検出部３０と、制御部４０と、変更部５０と、を備えている。
【００１７】
画像表示部１０は、例えば液晶ディスプレイなどの表示器であり、例えば壁面、天井面、床面に設置され、または壁面、天井面、床面などに設置されている支持部材によって支持されて設置されている、この画像表示部１０は、複数のユーザに対して同時に画像を表示する。画像表示部１０は、入力される画像の信号に応じて発光して、画像を表示する画像表示ユニット１４を備えている。
【００１８】
位置検出部２０は、センサ１００に接続されている。本実施形態においては、位置検出部２０は、非接触通信部４Ａ及び非接触通信部４Ｂのセンサ１００Ａ及びセンサ１００Ｂに接続される。位置検出部２０は、センサ１００から入力される電流の変化を、ユーザの位置の検出信号に変換する回路を備えている。位置検出部２０は、制御部４０に接続され、ユーザの位置の検出信号を、制御部４０に出力する。
【００１９】
センサ（属性受信部）１２０は、ＩＣカード５が接近した場合に、非接触通信によって、ＩＣカード５との通信を行うアンテナ素子として、例えばループコイルを備えている。センサ１２０は、属性検出部３０に接続され、アンテナ素子が検出した電磁界の変化を電流に変換して、属性検出部３０に出力する。ここで、センサ１２０Ａは、非接触通信部４Ａに備えられるセンサ１２０である。同様に、センサ１２０Ｂは、非接触通信部４Ｂに備えられるセンサ１００である。
【００２０】
属性検出部３０は、センサ１２０に接続されている。本実施形態においては、属性検出部３０は、非接触通信部４Ａのセンサ１２０Ａ、及び非接触通信部４Ｂのセンサ１２０Ｂとそれぞれ接続される。属性検出部３０は、センサ１２０から入力される電流をデジタル符号に変換する。属性検出部３０は、変換したデジタル符号に含まれる情報のうちから、属性フィールドに関連付けられた属性の情報を検出する。属性検出部３０は、変更部５０に接続され、検出したユーザの属性を変更部５０に出力する。
【００２１】
変更部５０は、入力される画像から画像表示部１０に表示させる画像を選択する。変更部５０は、予め属性に関連付けられている複数の画像が入力されている。本実施形態においては、属性に関連付けられている複数の画像は、例えば、画像Ｆは、女性向け広告の画像であり、画像Ｍは、男性向け広告の画像とする。この例においては、画像Ｆは、属性として女性と、画像Ｍは、属性として男性と、それぞれ関連付けられて、変更部５０に入力されている。変更部５０は、いずれかの画像を画像表示部１０に表示させる画像として選択回路によって選択し、画像表示部１０に出力する。
図２は、変更部５０の構成を示す構成図である。本実施形態において、変更部５０は、図２（ａ）に示すように、入力されている画像のうちから、画像に関連付けられた属性と、入力されたユーザの属性とが、一致している画像を、画像表示部１０に表示させる画像として選択する。
【００２２】
制御部４０は、位置検出部２０に接続されている。制御部４０は、位置検出部２０によって検出されたユーザの位置に基づいて視野角を選択する。ここで視野角とは、ユーザが画像表示部１０を見た場合に、画像表示部１０から発せられた光をユーザが視認できる空間内の範囲をいう。
【００２３】
図３は、画像表示ユニット１４と視野角との関係を示す模式図である。以下、図３を用いて画像表示ユニット１４の構成を説明する。
画像表示ユニット１４は、画像表示面１２と、視野角制限部材１３とを備えている。
画像表示面１２は、例えば液晶ディスプレイの発光面であり、複数の画素１１を備えている。
画素１１は、電流が供給されることにより発光する発光素子である。画像表示面１２は、画像信号に応じた電流を各画素１１に供給することにより、画像信号に応じた画像を表示する。
視野角制限部材１３は、画素１１Ａから発せられた光を、例えば一定の角度に屈折させるレンチキュラーレンズである。
画像表示部１０は、画素１１と、視野角制限部材１３とを、例えば櫛状や格子状などに予め組み合わせて配置することにより、一定の面積の画像を表示する。
【００２４】
ここで、制御部４０が選択する視野角は、ユーザの進行方向に応じて予め設定されている。
図４は、視野角とユーザの進行方向との関係を示す模式図である。
図４（ａ）は、ユーザの進行方向の正面に画像表示部１０を設置して、ユーザの進行方向に視野角を設定している場合を示す。
図４（ｂ）は、ユーザの進行方向に沿って、進行方向と平行に画像表示部１０を設置している場合を示す。
本実施形態において、視野角Ａ及び視野角Ｂは、図４（ａ）に示すように予め設定している。つまり、視野角Ａは、自動改札機Ａを通過するユーザＡが視認できる範囲に予め設定されている。同様に、視野角Ｂは、自動改札機Ｂを通過するユーザＢが視認できる範囲に予め設定されている。
【００２５】
次に、制御部４０による視野角の設定について説明する。
ここで、本実施形態において、ユーザＡとユーザＢは、画像表示部１０が設置されている位置に向かって、自動改札機３をそれぞれ通過している。また、画像表示面１２は、上述した図３に示すように、複数の画素１１として、画素１１Ａと、画素１１Ｂとを備えている。このとき、画素１１Ａから発せられた光は、一定の範囲すなわち視野角Ａの領域内にいるユーザＡからのみ視認され、他の範囲にいるユーザＢからは視認されなくなる。同様に、画素１１Ｂから発せられた光は、視野角制限部材１３を通過する際に一定の角度に屈折する。このとき、画素１１Ｂから発せられた光は、一定の範囲すなわち視野角Ｂの領域内にいるユーザＢからのみ視認され、他の範囲にいるユーザＡからは視認されなくなる。したがって、制御部４０は、画素１１Ａまたは画素１１Ｂのうち、いずれの画素１１を発光させるかを、制御すれば、制御部４０が視野角Ａまたは視野角Ｂを選択することができる。
このようにして、制御部４０は、設定する視野角に応じて、画像表示部１０から発せられる光の方向を設定することにより、視野角を設定する。また、制御部４０は、画像表示部１０から発せられる光の、予め定められる複数の方向のうちから、設定する視野角に応じて、いずれかの方向を選択することにより、画像表示部１０から発せられる光の方向を設定する。
【００２６】
［画像表示装置の動作］
次に、これら各部を備えている画像表示装置１の動作について、上述した図１から図３までと、図５とを用いて説明する。
【００２７】
図５は、本実施形態における画像表示装置１の動作の概要を示すフローチャートである。
本実施形態においては、一例として、ユーザＡは女性であるとし、ユーザＢは男性であるとする。ユーザＡは、ＩＣカード（可搬媒体）５Ａを、ユーザＢは、ＩＣカード５Ｂをそれぞれ所持している。ＩＣカード５Ａには、ユーザＡの属性として女性が予め記憶されている。ＩＣカード５Ｂには、ユーザＢの属性として男性が予め記憶されている。
また、画像表示部１０に表示される画像は、画像Ｆと画像Ｍとを含む。ここで、例えば画像Ｆは女性向けの広告、画像Ｍは男性向けの広告とする。また、画像Ｆは、ユーザの属性として女性に関連付けられ、画像Ｍは、ユーザの属性として男性に関連付けられて、図外の上位装置から変更部５０にそれぞれ供給されている。
ここで、ユーザＡは、自動改札機Ａに備えられる非接触通信部４Ａに、ＩＣカード５Ａをかざしている。同様に、ユーザＢは、自動改札機Ｂに備えられる非接触通信部４Ｂに、ＩＣカード５Ａをかざしている。本実施形態では、このようにユーザＡ及びユーザＢがＩＣカード５Ａ及びＩＣカード５Ｂを、自動改札機Ａ及び自動改札機Ｂにかざしている場合の一例について説明する。
【００２８】
まず、センサ（通過検出部）１００Ａは、ＩＣカード５Ａが、かざされた場合に生じる電磁界の変化を検出して、検出した変化を検出電流に変換して位置検出部２０に出力する。同様に、センサ（通過検出部）１００Ｂは、ＩＣカード５Ｂが、かざされた場合に生じる電磁界の変化を検出して、検出した変化を検出電流に変換して位置検出部２０に出力する。
位置検出部２０は、センサ１００Ａから入力される検出電流を、自動改札機３Ａを通過するユーザの位置として、検出信号に変換する。同様に、位置検出部２０は、センサ１００Ｂから入力される検出電流を、自動改札機３Ｂを通過するユーザの位置として、検出信号に変換する。位置検出部２０は、変換したユーザの位置の検出信号を、制御部４０にそれぞれ出力する（ステップＳ１）。
【００２９】
次に、センサ１２０Ａは、ＩＣカード５Ａが、かざされることによって、センサ１２０Ａが備えているアンテナ素子によりＩＣカード５Ａとの電磁界の変化を検出する。アンテナ素子が検出した電磁界の変化を電流の変化に変換して、属性検出部３０に出力する。同様に、センサ１２０Ｂは、ＩＣカード５Ｂが、かざされることによって、センサ１２０Ｂが備えているアンテナ素子によりＩＣカード５Ｂとの電磁界の変化を検出する。アンテナ素子が検出した電磁界の変化を電流の変化に変換して、属性検出部３０に出力する。
また、属性検出部３０は、センサ１２０Ａから入力される電流をデジタル符号に変換する。属性検出部３０は、変換したデジタル符号に含まれる情報のうちから、属性フィールドを検出し、属性フィールドに含まれる情報を、自動改札機Ａを通過するユーザの属性として、変更部５０に出力する。同様に、属性検出部３０は、センサ１２０Ｂから入力される電流をデジタル符号に変換する。属性検出部３０は、変換したデジタル符号に含まれる情報のうちから、属性フィールドを検出し、属性フィールドに含まれる情報を、自動改札機Ｂを通過するユーザの属性として、変更部５０に出力する（ステップＳ２）。
すなわち、属性検出部３０は、センサ１２０ＡにかざされたＩＣカード５Ａに記憶されている属性（女性）を、自動改札機Ａを通過するユーザの属性として、変更部５０に出力する。同様に、属性検出部３０は、センサ１２０ＢにかざされたＩＣカード５Ａに記憶されている属性（男性）を、自動改札機Ｂを通過するユーザの属性として、変更部５０に出力する。
【００３０】
次に、変更部５０は、入力される複数の画像のうちから、画像に関連付けられた属性と、ステップＳ２において入力されたユーザの属性とを比較する（ステップＳ３）。本実施形態においては、ステップＳ２において、自動改札機Ａを通過するユーザの属性として、女性が入力される。変更部５０は、入力される画像Ｆまたは画像Ｍのうちから、画像Ｆに関連付けられた属性（女性）または画像Ｍに関連付けられた属性（男性）と、ステップＳ２において入力されたユーザの属性（女性）とを比較する。同様に、ステップＳ２において、自動改札機Ｂを通過するユーザの属性として、男性が入力される。変更部５０は、入力される画像Ｆまたは画像Ｍのうちから、画像Ｆに関連付けられた属性（女性）または画像Ｍに関連付けられた属性（男性）と、ステップＳ２において入力されたユーザの属性（女性）とを比較する。
【００３１】
次に、変更部５０は、ステップＳ３において、画像に関連付けられた属性と、ステップＳ２において入力されたユーザの属性とが、一致しなければ、属性が一致する画像なし（ステップＳ３−一致なし）として、手順を終了する（ステップＳ４）。一方、変更部５０は、ステップＳ３において、画像に関連付けられた属性と、ステップＳ２において入力されたユーザの属性とが、一致すれば、属性が一致する画像あり（ステップＳ３−一致あり）として、手順を次のステップに進める。本実施形態の例において、変更部５０は、入力された属性（女性）と、画像Ｆに関連付けられている属性（女性）との一致を検出する。同様に、変更部５０は、入力された属性（男性）と、画像Ｍに関連付けられている属性（男性）との一致を検出する。したがっていずれも、属性が一致する画像ありとして、手順を次のステップに進める。
【００３２】
次に、変更部５０は、図２（ａ）に示すように、入力されている画像のうちから、画像に関連付けられた属性と、入力されたユーザの属性とが、一致している画像を、画像表示部１０に表示させる画像として選択する（ステップＳ５）。本実施形態においては、ステップＳ３において、画像Ｆに関連付けられた属性として女性と、ステップＳ２において入力された自動改札機Ａを通過するユーザの属性として女性とが、一致している。したがって、変更部５０は、画像表示部１０に表示させる、自動改札機Ａを通過するユーザに対する画像として、画像Ｆを選択する。同様に、ステップＳ３において、画像Ｍに関連付けられた属性として男性と、ステップＳ２において入力された自動改札機Ｂを通過するユーザの属性として男性とが、一致している。したがって、変更部５０は、画像表示部１０に表示させる、自動改札機Ｂを通過するユーザに対する画像として、画像Ｍを選択する。
【００３３】
次に、制御部４０は、位置検出部２０によって検出された位置に応じて、画像表示部１０が表示する画像の視野角を選択する（ステップＳ６）。本実施例においては、制御部４０は、予め設定されている視野角のうちから、自動改札機Ａの位置にいるユーザに視認されうる視野角Ａを、視野角として選択する。このとき、制御部４０は、視野角を、視野角Ａにするため、画像表示部１０が備えている複数の画素１１のうち、視野角Ａに対応する画素１１Ａを選択して画像を表示させる。同様に、制御部４０は、予め設定されている視野角のうちから、自動改札機Ｂの位置にいるユーザに視認されうる視野角Ｂを、視野角として選択する。このとき、制御部４０は、視野角を、視野角Ｂにするため、画像表示部１０が備えている複数の画素１１のうち、視野角Ｂに対応する画素１１Ｂを選択して画像を表示させる。
【００３４】
以上の手順により、画像表示装置１は、自動改札機Ａの位置、すなわち視野角Ａに対して、画像Ｆを表示する。同様に、画像表示装置１は、自動改札機Ｂの位置、すなわち視野角Ｂに対して、画像Ｍを表示する。この結果、ユーザＡは視野角Ａの範囲内にいるため、画像Ｆを視認することができる。一方、ユーザＢは視野角Ａの範囲外にいるため、画像Ｆを視認することができない。したがって、画像表示装置１は、画像ＦをユーザＡにのみ視認させることができる。同様に、ユーザＢは、視野角Ｂの範囲内にいるため、画像Ｍを視認することができる。一方、ユーザＡは視野角Ｂの範囲外にいるため、画像Ｍを視認することができない。したがって、画像表示装置１は、画像ＭをユーザＢにのみ視認させることができる。
【００３５】
以上説明したように、本実施形態の画像表示装置１は、画像を表示する画像表示部１０と、ユーザの位置を検出する位置検出部２０と、位置検出部２０によって検出された位置に応じて、画像表示部１０が表示する画像の視野角を設定する制御部４０とを備えている。このため、画像表示装置１は、画像表示部１０に表示される画像の視野角をユーザのいる位置に応じて設定することができる。これにより、本実施形態の画像表示装置１は位置を変更するユーザに対して、ユーザ毎に個別の画像を表示することができる。
【００３６】
また、本実施形態の画像表示装置１の制御部４０は、位置検出部２０によって検出されたそれぞれの位置に応じて、それぞれの視野角を設定する。このため、画像表示装置１は、ユーザごとに、画像表示部１０に表示される画像の視野角を設定することができ、複数のユーザに、複数の画像を同時に表示することができる。これにより、画像表示装置１は、画像表示部１０に表示される画像を、ユーザに視認されやすく表示することができる。したがって、本実施形態の画像表示装置１は位置を変更するユーザに対して、ユーザ毎に個別の画像を表示することができる。
【００３７】
また、本実施形態の画像表示装置１は、ユーザの属性を検出する属性検出部３０と、属性検出部３０によって検出された属性に基づいて、画像表示部１０に表示させる画像を変更する変更部５０とを備えている。これにより、画像表示装置１は、ユーザの属性、例えば性別や趣味に応じて、画像表示部１０に表示する画像の内容を選択することができる。これにより、画像表示装置１は、ユーザの注意を引きやすい画像を、画像表示部１０に表示させることができる。したがって、本実施形態の画像表示装置１は位置を変更するユーザに対して、ユーザ毎に個別の画像を表示することができる。
【００３８】
また、本実施形態の画像表示装置１の変更部５０は、属性検出部３０によって検出されたそれぞれの属性に基づいて、画像をそれぞれ変更する。これにより、画像表示装置１は、ユーザごとに、ユーザの属性に応じて、画像表示部１０に表示する画像の内容をそれぞれ変更して、例えばユーザの興味や年齢層に応じた画像を表示することができる。これにより、画像表示装置１は、ユーザの注意を引きやすい画像を、画像表示部１０に表示させることができる。したがって、本実施形態の画像表示装置１は位置を変更するユーザに対して、ユーザ毎に個別の画像を表示することができる。
【００３９】
また、本実施形態の画像表示装置１の変更部５０は、属性に基づいて、複数の画像のうちから、画像表示部１０に表示させる画像を選択して、画像表示部１０に表示させる画像を変更する。これにより、画像表示装置１は、ユーザの属性に応じた予め複数の画像を用意して、ユーザの属性に応じて、例えば、ユーザの興味や年齢層に応じた画像を選択して、表示することができる。これにより、画像表示装置１は、ユーザの注意を引きやすい画像を、画像表示部１０に表示させることができる。したがって、本実施形態の画像表示装置１は位置を変更するユーザに対して、ユーザ毎に個別の画像を表示することができる。
【００４０】
また、本実施形態の画像表示装置１の制御部４０は、設定する視野角に応じて、画像表示部１０から発せられる光の方向を設定することにより、視野角を設定する。これにより、画像表示装置１は、画像表示部１０に表示される画像を、ユーザに視認されやすく表示することができる。したがって、本実施形態の画像表示装置１は位置を変更するユーザに対して、ユーザ毎に個別の画像を表示することができる。
【００４１】
また、本実施形態の画像表示装置１の制御部４０は、画像表示部１０から発せられる光の、予め定められる複数の方向のうちから、設定する視野角に応じて、いずれかの方向を選択することにより、光の方向を設定する。これにより、画像表示装置１は、画像表示部１０に表示される画像を、ユーザに視認されやすく表示することができる。したがって、本実施形態の画像表示装置１は位置を変更するユーザに対して、ユーザ毎に個別の画像を表示することができる。
【００４２】
また、本実施形態の画像表示装置１は、ユーザに所持されるＩＣカード（可搬媒体）５であって、ユーザの属性を示す情報が予め記憶されているＩＣカード（可搬媒体）５から、情報を受信するセンサ（属性受信部）１２０を備え、属性検出部３０は、センサ（属性受信部）１２０を介してＩＣカード（可搬媒体）５から受信したユーザの属性を示す情報に基づいて、属性を検出する。これにより、画像表示装置１は、ユーザの注意を引きやすい画像を、画像表示部１０に表示させることができる。したがって、本実施形態の画像表示装置１は位置を変更するユーザに対して、ユーザ毎に個別の画像を表示することができる。
【００４３】
また、本実施形態の画像表示装置１の視野角は、ユーザの進行方向に応じて定められる。
つまり、例えば視野角は、画像表示装置１が設置されている通路の方向、つまりユーザの進行方向に合わせて、予め定められることができる。これにより、画像表示装置１は、画像表示部１０に表示される画像を、位置を変更するユーザに視認されやすく表示することができる。したがって、本実施形態の画像表示装置１は位置を変更するユーザに対して、ユーザ毎に個別の画像を表示することができる。
【００４４】
また、本実施形態の画像表示装置１は、予め定められた位置をユーザが通過したことを検出するセンサ（通過検出部）１００を備え、位置検出部２０は、センサ１００によってユーザが通過したことが検出された場合に、予め定められた位置に基づいて、ユーザの位置を検出する。このように、本実施形態の画像表示装置１は、例えば駅や遊戯施設の入り口など、自動改札機３が備えられている場所に、センサ１００を備えることができる。したがって、本実施形態の画像表示装置１は、簡易なシステム構成によってユーザの位置を特定することができる。これにより、画像表示装置１は、画像表示部１０に表示される画像を、ユーザの位置に応じて表示することができる。したがって、本実施形態の画像表示装置１は位置を変更するユーザに対して、ユーザ毎に個別の画像を表示することができる。
【００４５】
なお、図２（ｂ）に示すように、変更部５０は、属性に基づいて、画像表示部１０に表示させる画像を変換して、画像表示部１０に表示させる画像を変更してもよい。これにより、画像表示装置１は、ユーザの属性に応じて、色調や表示サイズなどを変えることができる。したがって、画像表示装置１は、例えば、ユーザの年齢層などに応じて、表示サイズを拡大した視認されやすい画像や、表示サイズを縮小した情報量の多い画像を表示させることができる。これにより、画像表示装置１は、位置を変更するユーザに対して、ユーザ毎に個別の画像を表示しつつ、画像表示部１０に表示される画像を、ユーザに視認されやすく表示することができる。
【００４６】
なお、図２（ｃ）に示すように、変更部５０は、属性に基づいて、画像表示部１０に表示させる画像を遮断して、画像表示部１０に表示させる画像を変更してもよい。これにより、画像表示装置１は、ユーザの属性に応じて、画像を表示する、または画像を表示しないようにすることができる。したがって、画像表示装置１は、位置を変更するユーザに対して、ユーザ毎に個別の画像を表示しつつ、例えば、ユーザの年齢層に応じて、視聴制限のある画像などを、ユーザに視認させる、または視認させないようにすることができる。
【００４７】
なお、図６に示すように、画像表示装置１は、通過検出部１００によってユーザが通過したことが検出された場合に、画像表示部１０が設置されている位置を示す画像を表示する補助表示部１１０を備えてもよい。
図６は、補助表示部１１０を備えている画像表示装置を示す構成図である。補助表示部１１０Ａは、自動改札機３Ａに備えられ、補助表示部１１０Ｂは、自動改札機３Ｂに備えられる。ここで、補助表示部１１０Ａと補助表示部１１０Ｂとは同じ構成及び動作であるため、補助表示部１１０として説明する。この場合、補助表示部１１０は、制御部４０に接続され、制御部４０にユーザの位置が入力された場合に、ユーザの位置から見た画像表示部１０の位置を示す、例えば矢印の画像を表示するとしてもよい。これにより、画像表示装置１は、視野角を制限した状態である画像表示部１０の位置をユーザに知らせることができる。これにより、画像表示装置１は、画像表示部１０に表示される画像に、ユーザの注意を引くことができる。したがって、本実施形態の画像表示装置１は、位置を変更するユーザに対して、ユーザ毎に個別の画像を表示しつつ、画像表示部１０に表示する画像の視認率を向上させることができる。
【００４８】
［第２の実施形態］
以下、図面に基づき、本発明の第２の実施形態を説明する。なお、第１の実施形態と同じ構成及び動作については説明を省略する。
【００４９】
［画像表示装置の構成］
図７は、本実施形態に係る画像表示装置１の一例を示す構成図である。
図７に示すように、本実施形態に係る画像表示装置１は、第１の実施形態と同様に、例えば駅の改札口付近の壁面などに備えられる電子看板である。
本実施形態において、改札口には、複数の自動改札機３として自動改札機３Ａと自動改札機３Ｂとが、画像表示装置１の画像表示ユニット１４に向かって横一列に設置されている。
画像表示部１０は、画像表示部１０が表示する画像を、自動改札機３を通るユーザが視認することができる位置に設置されている。
【００５０】
本実施形態において、画像表示装置１は、第１の実施形態と同様に、画像表示部１０と、位置検出部２０と、属性検出部３０と、制御部４０と、変更部５０とを備えているほか、音出力部６０Ａ及び音出力部６０Ｂを備えている。以下、音出力部６０を含む画像表示装置１の構成および動作について説明する。なお、音出力部６０Ａ及び音出力部６０Ｂは同一の構成及び動作であるため、音出力部６０として説明する。
【００５１】
音出力部６０は、スピーカ部６１と、アンプ部６２と、指向角設定部６３とを備えている。
アンプ部６２は、制御部４０と、変更部５０と、スピーカ部６１とに接続され、例えばゲイン可変アンプを備えている。アンプ部６２は、変更部５０から入力される音信号を、制御部４０によって設定される視野角に応じた増幅率によって増幅して、スピーカ部６１に出力する音信号の波高値を設定する。なお、本実施形態における変更部５０は、アンプ部６２と接続され、画像表示部１０に表示させる画像として選択した画像に関連付けて入力される音信号を、アンプ部６２に出力する。
スピーカ部６１は、アンプ部６２に接続され、例えば、画像表示部１０の近傍に設置される。スピーカ部６１は、アンプ部６２から入力される音信号を、入力される音信号の波高値に応じた音量の音に変換して出力する。
指向角設定部６３は、制御部４０と接続され、制御部４０が設定する視野角に応じて、例えばスピーカ部６１が備えている音響ホーンの角度を設定して、スピーカ部６１から出力される音の指向角を設定する。
【００５２】
［画像表示装置の動作］
音出力部６０は、位置検出部２０によってユーザの位置が検出された場合に、属性検出部３０によって検出されたユーザの属性を取得し、取得したユーザの属性に応じて、ユーザの注意を引く音信号を選択する。ここで、ユーザの注意を引く音信号は、例えばチャイム音などの予め定められた注意喚起音や、画像表示部１０に表示される画像に同期した音声などを含む。
次に、指向角設定部６３は、制御部４０によって設定された視野角を取得し、取得した視野角に応じて、音響ホーンの角度を設定して音の指向角を設定する。
次に、アンプ部６２は、制御部４０によって設定された視野角を取得し、取得した視野角に応じた増幅率に設定して、スピーカ部６１に出力する音信号の波高値を設定する。
次に、音出力部６０は、入力される音信号を、音信号の波高値に応じた音量の音に変換して出力する。
【００５３】
以上説明したように、本実施形態における画像表示装置１は、位置が検出された場合に、音を出力する音出力部６０を備えている。本実施形態の画像表示装置１は、ユーザが自動改札機３を通過する際に、音が発せられる。これにより、画像表示装置１は、画像表示部１０に表示される画像に、ユーザの注意を引くことができる。したがって、本実施形態の画像表示装置１は、位置を変更するユーザに対して、ユーザ毎に個別の画像を表示しつつ、画像表示部１０に表示する画像の視認率を向上させることができる。
【００５４】
さらに、本実施形態における音出力部６０は、設定される視野角に基づいて、出力する音の指向角を設定する。これにより、画像表示装置１は、ユーザに音が届きやすくして、ユーザが自動改札機３を通過する際に、音を発することができる。これにより、画像表示装置１は、画像表示部１０に表示される画像に、ユーザの注意を引くことができる。したがって、本実施形態の画像表示装置１は、位置を変更するユーザに対して、ユーザ毎に個別の画像を表示しつつ、画像表示部１０に表示する画像の視認率を向上させることができる。
【００５５】
さらに、本実施形態における音出力部６０は、設定される視野角に基づいて、出力する音の音量を設定する。これにより、画像表示装置１は、例えば視野角が広い場合は大きい音量にして、視野角が狭い場合は小さい音量にして、ユーザが自動改札機３を通過する際に、音を発することができる。これにより、画像表示装置１は、騒音源となることを防ぎつつ、画像表示部１０に表示される画像に、ユーザの注意を引くことができる。したがって、本実施形態の画像表示装置１は、位置を変更するユーザに対して、ユーザ毎に個別の画像を表示しつつ、画像表示部１０に表示する画像の視認率を向上させることができる。
【００５６】
［第３の実施形態］
以下、図面に基づき、本発明の第３の実施形態を説明する。なお、第１の実施形態及び第２の実施形態と同じ構成及び動作については説明を省略する。
【００５７】
［画像表示装置の構成］
図８は、本実施形態に係る画像表示装置１の一例を示す構成図である。
図８に示すように、本実施形態に係る画像表示装置１は、例えば駅の待ち合わせ広場付近の壁面などに備えられる電子看板である。
本実施形態において、待ち合わせ広場は、待ち合わせをしている複数の利用者（ユーザ）がいるとする。
画像表示部１０は、画像表示部１０が表示する画像を、待ち合わせ広場で待ち合わせをしているユーザが視認することができる位置に設置されている。
それぞれのユーザは、携帯電話（可搬媒体）２を所持している。例えば、ユーザＡは携帯電話２Ａを所持しており、ユーザＢは携帯電話２Ｂを所持している。なお、携帯電話２Ａ及び携帯電話２Ｂは同一の構成及び動作であるため、以下、携帯電話２として説明する。ここで、携帯電話２は、例えばＧＰＳ（Global Positioning System）によって位置を検出することができるＧＰＳ機能付き携帯電話である。携帯電話２は、ＧＰＳによって検出される現在の位置が記憶されている位置記憶部２０１と、予め携帯電話の所有者に関する情報が記憶されている記憶部２０２を備えている。
記憶部２０２には、その携帯電話２を所有するユーザの属性の情報が、情報の記憶単位であるフィールドごとに予め記憶されている。例えば、記憶部２０２の氏名フィールドには、携帯電話２を所有する者の氏名の情報が予め記憶されている。また、例えば、記憶部２０２の属性情報フィールドには、ユーザの属性として、例えばユーザの性別を含む情報が予め記憶されている。ここで、ユーザの属性には、例えば性別、年齢、身長、趣味、出身地、住所、メールアドレスなどが含まれる。
また、ユーザＡ及びユーザＢは、画像表示部１０が設置されている待ち合わせ広場付近に、待ち合わせのため滞在しているユーザである。ユーザＡは、携帯電話２Ａを所有している。同様に、ユーザＢは、携帯電話２Ｂを所有している。
【００５８】
本実施形態において、画像表示装置１は、画像表示部１０と、位置検出部２０と、属性検出部３０と、制御部４０と、変更部５０と、位置受信部８０と、属性受信部１２０とを備えている。
【００５９】
画像表示部１０は、例えば壁面、天井面、床面に設置され、または壁面、天井面、床面などに設置されている支持部材によって支持されて設置されている、例えば液晶ディスプレイ、プラズマディスプレイなどの表示器である。この画像表示部１０は、複数のユーザに対して同時に画像を表示する。画像表示部１０は、入力される画像を表示する画像表示ユニット１４を備えている。また、画像表示ユニット１４は、画像表示面１２と、視野角制限部材１３とを備えている。
【００６０】
位置受信部８０は、通信アンテナであり、例えば壁面、天井面、床面に設置される。位置受信部８０は、携帯電話２との間で電波を送受信するアンテナ素子８１を備えている。位置受信部８０は、位置検出部２０に接続される。位置受信部８０は、アンテナ素子８１が検出した携帯電話２が送信する電波を電流に変換して、位置検出部２０に出力するとともに、位置検出部２０が出力する電流を電波に変換して、アンテナ素子８１から携帯電話２に送信する。
【００６１】
位置検出部２０は、位置受信部８０に接続されている。位置検出部２０は、位置受信部８０から入力される電流の変化を、携帯電話２との情報通信を行うデジタル符号信号に変換し、及びその逆に変換を行う。位置検出部２０は、携帯電話２から受信したデジタル符号化された情報のうちから、位置記憶部２０１に記憶されている情報に基づいて、ユーザの位置を検出する。位置検出部２０は、制御部４０に接続されており、検出したユーザの位置を制御部４０に出力する。
【００６２】
属性受信部１２０は、通信アンテナであり、例えば壁面、天井面、床面に設置される。属性受信部１２０は、携帯電話２との間で電波を送受信するアンテナ素子１２１を備えている。属性受信部１２０は、属性検出部３０に接続され、アンテナ素子１２１が検出した携帯電話２が送信する電波を電流に変換して、属性検出部３０に出力するとともに、属性検出部３０が出力する電流を電波に変換して、アンテナ素子１２１から携帯電話２に送信する。
【００６３】
属性検出部３０は、属性受信部１２０に接続されている。属性検出部３０は、属性受信部１２０から入力される電流の変化を、携帯電話２との情報通信を行うデジタル符号信号に変換し、及びその逆に変換を行う。属性検出部３０は、変換したデジタル符号に含まれる情報のうちから、属性フィールドに関連付けられた属性の情報を検出する。属性検出部３０は、変更部５０に接続され、検出したユーザの属性を変更部５０に出力する。
【００６４】
制御部４０は、位置検出部２０に接続されている。制御部４０は、位置検出部２０によって検出されたユーザの位置に基づいて視野角を選択する。制御部４０が選択する視野角は、一定の範囲において、複数の視野角が予め設定されている。
【００６５】
変更部５０は、入力される画像から画像表示部１０に表示させる画像を選択する。変更部５０は、予め属性に関連付けられている複数の画像が入力されている。本実施形態においては、属性に関連付けられている複数の画像は、例えば、画像Ｆは、女性向け広告の画像であり、画像Ｍは、男性向け広告の画像とする。この例においては、画像Ｆは、属性として女性と、画像Ｍは、属性として男性と、それぞれ関連付けられて、変更部５０に入力されている。変更部５０は、いずれかの画像を画像表示部１０に表示させる画像として選択回路によって選択し、画像表示部１０に出力する。
【００６６】
［画像表示装置の動作］
次に、これら各部を備えている画像表示装置１の動作について、図８及び図９を用いて説明する。
【００６７】
図９は、本実施形態における画像表示装置１の動作の概要を示すフローチャートである。
本実施形態においては、一例として、ユーザＡは女性であるとし、ユーザＢは男性であるとする。ユーザＡは、携帯電話（可搬媒体）２Ａを、ユーザＢは、携帯電話（可搬媒体）２Ｂをそれぞれ所持している。携帯電話２Ａには、ユーザＡの属性として女性が予め記憶されている。携帯電話２Ｂには、ユーザＢの属性として男性が予め記憶されている。
また、画像表示部１０に表示される画像は、画像Ｆと画像Ｍとを含む。ここで、例えば画像Ｆは女性向けの広告、画像Ｍは男性向けの広告とする。また、画像Ｆは、ユーザの属性として女性に関連付けられ、画像Ｍは、ユーザの属性として男性に関連付けられて、変更部５０にそれぞれ供給されている。
【００６８】
まず、制御部４０は、位置検出部２０及び位置受信部８０を介して、携帯電話２が備えている位置記憶部２０１から、携帯電話２の現在の位置を読み出す（ステップＳ１）。本実施形態において、制御部４０は、携帯電話２Ａ及び携帯電話２Ｂから、携帯電話２Ａ及び携帯電話２Ｂの現在の位置をそれぞれ読み出す。
【００６９】
次に、変更部５０は、属性検出部３０及び属性受信部１２０を介して、携帯電話２Ａが備えている記憶部２０２から、ユーザの属性を読み出す（ステップＳ２）。本実施形態において、制御部４０は、携帯電話２Ａから、携帯電話２Ａに記憶されている属性（女性）を、携帯電話２Ａを所有するユーザの属性として読み出す。同様に、制御部４０は、携帯電話２Ｂから、携帯電話２Ｂに記憶されている属性（男性）を携帯電話２Ｂを所有するユーザの属性として読み出す。
【００７０】
変更部５０は、入力される複数の画像のうちから、画像に関連付けられた属性と、ステップＳ２において入力されたユーザの属性とを比較する（ステップＳ３）。本実施形態においては、ステップＳ２において、携帯電話２Ａを所有するユーザの属性として、女性が入力される。変更部５０は、入力される画像Ｆまたは画像Ｍのうちから、画像Ｆに関連付けられた属性（女性）または画像Ｍに関連付けられた属性（男性）と、ステップＳ２において入力されたユーザの属性（女性）とを比較する。同様に、ステップＳ２において、携帯電話２Ａを所有するユーザの属性として、男性が入力される。変更部５０は、入力される画像Ｆまたは画像Ｍのうちから、画像Ｆに関連付けられた属性（女性）または画像Ｍに関連付けられた属性（男性）と、ステップＳ２において入力されたユーザの属性（女性）とを比較する。
【００７１】
次に、変更部５０は、ステップＳ３において、画像に関連付けられた属性と、ステップＳ２において入力されたユーザの属性とが、一致しなければ、属性が一致する画像なし（ステップＳ３−一致なし）として、手順を終了する（ステップＳ４）。一方、変更部５０は、ステップＳ３において、画像に関連付けられた属性と、ステップＳ２において入力されたユーザの属性とが、一致すれば、属性が一致する画像あり（ステップＳ３−一致あり）として、手順を次のステップに進める。本実施形態の例において、変更部５０は、入力された属性（女性）と、画像Ｆに関連付けられている属性（女性）との一致を検出する。同様に、変更部５０は、入力された属性（男性）と、画像Ｍに関連付けられている属性（男性）との一致を検出する。したがっていずれも、属性が一致する画像ありとして、手順を次のステップに進める。
【００７２】
次に、変更部５０は、図２（ａ）に示すように、入力されている画像のうちから、画像に関連付けられた属性と、入力されたユーザの属性とが、一致している画像を、画像表示部１０に表示させる画像として選択する（ステップＳ５）。本実施形態においては、ステップＳ３において、画像Ｆに関連付けられた属性として女性と、ステップＳ２において入力された携帯電話２Ａを所有するユーザの属性として女性とが、一致している。したがって、変更部５０は、画像表示部１０に表示させる、携帯電話２Ａを所有するユーザに対する画像として、画像Ｆを選択する。同様に、ステップＳ３において、画像Ｍに関連付けられた属性として男性と、ステップＳ２において入力された携帯電話２Ｂを所有するユーザの属性として男性とが、一致している。したがって、変更部５０は、画像表示部１０に表示させる、携帯電話２Ｂを所有するユーザに対する画像として、画像Ｍを選択する。
【００７３】
次に、制御部４０は、位置検出部２０によって検出された位置に応じて、画像表示部１０が表示する画像の視野角を選択する（ステップＳ６）。本実施例においては、制御部４０は、予め設定されている視野角のうちから、携帯電話２Ａの位置にいるユーザに視認されうる視野角Ａを、視野角として選択する。このとき、制御部４０は、視野角を、視野角Ａにするため、画像表示部１０が備えている複数の画素１１のうち、視野角Ａに対応する画素１１Ａを選択して画像を表示させる。同様に、制御部４０は、予め設定されている視野角のうちから、携帯電話２Ｂの位置にいるユーザに視認されうる視野角Ｂを、視野角として選択する。このとき、制御部４０は、視野角を、視野角Ｂにするため、画像表示部１０が備えている複数の画素１１のうち、視野角Ｂに対応する画素１１Ｂを選択して画像を表示させる。
【００７４】
さらに、制御部４０は、位置検出部２０によって検出された位置が変化した場合、変化した位置に応じて、画像表示部１０が表示する画像の視野角を選択する（ステップＳ７）。本実施例においては、制御部４０は、予め設定されている視野角のうちから、携帯電話２Ａの位置にいるユーザに視認されうる視野角Ａを、視野角として選択する。このとき、制御部４０は、視野角を、視野角Ａにするため、画像表示部１０が備えている複数の画素１１のうち、視野角Ａに対応する画素１１Ａを選択して画像を表示させる。同様に、制御部４０は、予め設定されている視野角のうちから、携帯電話２Ｂの位置にいるユーザに視認されうる視野角Ｂを、視野角として選択する。このとき、制御部４０は、視野角を、視野角Ｂにするため、画像表示部１０が備えている複数の画素１１のうち、視野角Ｂに対応する画素１１Ｂを選択して画像を表示させる。
【００７５】
以上の手順により、画像表示装置１は、携帯電話２Ａの位置、すなわち視野角Ａに対して、画像Ｆを表示する。同様に、画像表示装置１は、携帯電話２Ｂの位置、すなわち視野角Ｂに対して、画像Ｍを表示する。この結果、ユーザＡは視野角Ａの範囲内にいるため、画像Ｆを視認することができる。一方、ユーザＢは視野角Ａの範囲外にいるため、画像Ｆを視認することができない。したがって、画像表示装置１は、画像ＦをユーザＡにのみ視認させることができる。同様に、ユーザＢは、視野角Ｂの範囲内にいるため、画像Ｍを視認することができる。一方、ユーザＡは視野角Ｂの範囲外にいるため、画像Ｍを視認することができない。したがって、画像表示装置１は、画像ＭをユーザＢにのみ視認させることができる。
【００７６】
以上説明したように、本実施形態の画像表示装置１は、画像を表示する画像表示部１０と、ユーザの位置を検出する位置検出部２０と、位置検出部２０によって検出された位置に応じて、画像表示部１０が表示する画像の視野角を設定する制御部４０とを備えている。このため、画像表示装置１は、画像表示部１０に表示される画像の視野角をユーザのいる位置に応じて設定することができる。これにより、画像表示装置１は、画像表示部１０に表示される画像を、ユーザに視認されやすく表示することができる。したがって、本実施形態の画像表示装置１は、位置を変更するユーザに対して、ユーザ毎に個別の画像を表示することができる。
【００７７】
また、本実施形態の画像表示装置１の制御部４０は、位置検出部２０によって検出されたそれぞれの位置に応じて、それぞれの視野角を設定する。このため、画像表示装置１は、ユーザごとに、画像表示部１０に表示される画像の視野角を設定することができ、複数のユーザに、複数の画像を同時に表示することができる。これにより、画像表示装置１は、画像表示部１０に表示される画像を、ユーザに視認されやすく表示することができる。したがって、本実施形態の画像表示装置１は、位置を変更するユーザに対して、ユーザ毎に個別の画像を表示することができる。
【００７８】
また、本実施形態の画像表示装置１は、ユーザの属性を検出する属性検出部３０と、属性検出部３０によって検出された属性に基づいて、画像表示部１０に表示させる画像を変更する変更部５０とを備えている。これにより、画像表示装置１は、ユーザの属性、例えば性別や趣味に応じて、画像表示部１０に表示する画像の内容を選択することができる。これにより、画像表示装置１は、ユーザの注意を引きやすい画像を、画像表示部１０に表示させることができる。したがって、本実施形態の画像表示装置１は、位置を変更するユーザに対して、ユーザ毎に個別の画像を表示しつつ、画像表示部１０に表示する画像の視認率を向上させることができる。
【００７９】
また、本実施形態の画像表示装置１の変更部５０は、属性検出部３０によって検出されたそれぞれの属性に基づいて、画像をそれぞれ変更する。これにより、画像表示装置１は、ユーザごとに、ユーザの属性に応じて、画像表示部１０に表示する画像の内容をそれぞれ変更して、例えばユーザの興味や年齢層に応じた画像を表示することができる。これにより、画像表示装置１は、ユーザの注意を引きやすい画像を、画像表示部１０に表示させることができる。したがって、本実施形態の画像表示装置１は、位置を変更するユーザに対して、ユーザ毎に個別の画像を表示しつつ、画像表示部１０に表示する画像の視認率を向上させることができる。
【００８０】
また、本実施形態の画像表示装置１の変更部５０は、属性に基づいて、複数の画像のうちから、画像表示部１０に表示させる画像を選択して、画像表示部１０に表示させる画像を変更する。これにより、画像表示装置１は、ユーザの属性に応じた予め複数の画像を用意して、ユーザの属性に応じて、例えば、ユーザの興味や年齢層に応じた画像を選択して、表示することができる。これにより、画像表示装置１は、ユーザの注意を引きやすい画像を、画像表示部１０に表示させることができる。したがって、本実施形態の画像表示装置１は、位置を変更するユーザに対して、ユーザ毎に個別の画像を表示しつつ、画像表示部１０に表示する画像の視認率を向上させることができる。
【００８１】
また、本実施形態の画像表示装置１は、ユーザに所持される携帯電話（可搬媒体）２であって、ユーザの属性を示す情報が予め記憶されている携帯電話（可搬媒体）２から、情報を受信するセンサ（属性受信部）１２０を備え、属性検出部３０は、センサ（属性受信部）１２０を介して携帯電話（可搬媒体）２から受信したユーザの属性を示す情報に基づいて、属性を検出する。これにより、画像表示装置１は、ユーザの注意を引きやすい画像を、画像表示部１０に表示させることができる。したがって、本実施形態の画像表示装置１は、位置を変更するユーザに対して、ユーザ毎に個別の画像を表示しつつ、画像表示部１０に表示する画像の視認率を向上させることができる。
【００８２】
また、本実施形態の画像表示装置１は、ユーザに所持される携帯電話（可搬媒体）２であって、携帯電話（可搬媒体）２の位置を示す位置情報を検出する位置記憶部（位置情報検出部）２０１を有する携帯電話（可搬媒体）２から、位置情報を受信する位置受信部８０を備えてもよい。さらに、位置検出部２０は、位置受信部８０を介して受信した位置情報に基づいて、ユーザの位置を検出してもよい。本実施形態の画像表示装置１は、例えばＧＰＳ機能付き携帯電話など、所持しているユーザの位置の特定が可能な可搬媒体を利用することにより、自動改札機３などが備えられていない場所であっても、ユーザの位置を特定することができる。これにより、画像表示装置１は、画像表示部１０に表示される画像を、ユーザに視認されやすく表示することができる。したがって、本実施形態の画像表示装置１は、位置を変更するユーザに対して、ユーザ毎に個別の画像を表示しつつ、画像表示部１０に表示する画像の視認率を向上させることができる。
【００８３】
なお、変更部５０は、複数の属性が、互いに共通する属性を含む場合には、共通する属性に基づいて、画像表示部１０に表示させる画像を変更することにしてもよい。例えば変更部５０は、複数のユーザに対して共通の画像を、画像表示部１０に表示させてもよい。これにより、画像表示装置１は、ユーザの注意を引きやすい画像として、例えば共通の趣味や興味など共通点を有するユーザに対して共通の画像を、画像表示部１０に表示させることができる。したがって、本実施形態の画像表示装置１は、位置を変更するユーザに対して、ユーザ毎に個別の画像を表示しつつ、宣伝効率を向上させることができる。
【００８４】
なお、変更部５０は、複数の位置が、互いに近接している場合には、共通する属性に基づいて、画像表示部１０に表示させる画像を変更することにしてもよい。例えば共通する属性を有する複数のユーザが隣あって会話している場合など、近接した位置にいる場合に、変更部５０は、画像表示部１０に表示させてもよい。これにより、画像表示装置１は、例えば共通の趣味や興味など共通点を有し、近接した位置にいるユーザに対して、ユーザの注意を引きやすい画像として、共通の画像を画像表示部１０に表示させることができる。したがって、本実施形態の画像表示装置１は、位置を変更するユーザに対して、ユーザ毎に個別の画像を表示しつつ、宣伝効率を向上させることができる。
【００８５】
なお、本実施形態の画像表示装置１は、ユーザの位置を検出した後、ユーザの位置が変化した場合には、視野角を変化したユーザの位置に追従させて設定してもよい。すなわち、制御部４０は、視野角を設定した後に、位置検出部２０によって検出された位置が変化した場合には、変化した当該位置に応じて、視野角を設定することにしてもよい。図１０は、ユーザの移動に応じて視野角を設定する例を示す模式図である。
図１０に示すように、画像表示装置１は、例えばユーザが、画像を視認することができる視野角の範囲外に移動した場合に、ユーザの移動先の位置に視野角を設定して画像を表示させることができる。これにより、画像表示装置１は、ユーザが移動しても、そのユーザ向けの画像を画像表示部１０に表示させ続けることができる。したがって、本実施形態の画像表示装置１は、位置を変更するユーザに対して、ユーザ毎に個別の画像を表示ることができる。
【００８６】
なお、本実施形態の画像表示装置１は、例えば携帯電話（可搬媒体）２の画面に、画像表示部１０の位置を表示させてもよい。つまり、画像表示装置１は、ユーザに所持される可搬媒体であって、受信される情報に応じた画像が表示される表示部２０３を有する可搬媒体に、情報を送信する送信部７０を備えてもよい。さらに、画像表示装置１は、制御部４０は、位置検出部２０によって位置が検出された場合に、検出された位置を基準にして画像表示部１０が設置されている位置を示す情報を、送信部７０を介して可搬媒体２に送信してもよい。図１１は、送信部７０を備えている画像表示装置１を示す構成図である。
図１１に示すように、例えば、携帯電話２には、予め携帯電話２のメールアドレスが、ユーザの属性として記憶されており、属性検出部３０によって検出できるとする。制御部４０は、属性検出部３０によって検出されたユーザの属性に含まれるユーザの携帯電話２のメールアドレスを取得する。次に、制御部４０は、位置検出部２０によって位置が検出された場合に、検出された位置を基準にして画像表示部１０が設置されている位置を示す画像を、送信部７０を介して可搬媒体２に送信する。ここで、画像表示部１０が設置されている位置を示す画像は、例えば、ユーザの現在位置と、画像表示部１０が設置されている位置とが示されている地図の画像である。これにより、画像表示装置１は、画像表示部１０の位置をユーザに知らせることができる。したがって、本実施形態の画像表示装置１は、位置を変更するユーザに対して、ユーザ毎に個別の画像を表示しつつ、画像表示部１０に表示する画像の視認率を向上させることができる。
【００８７】
さらに、上記の位置を示す情報には、可搬媒体がユーザに所持されている方向を示す情報が含まれていてもよい。さらに、位置検出部２０は、位置に加えて方向を検出してもよい。さらに、制御部４０は、位置検出部２０によって位置及び位置が検出された場合に、検出された位置及び方向を基準にした、画像表示部１０が設置されている位置の方向を示す情報を、送信部７０を介して可搬媒体に送信してもよい。
例えば、制御部４０は、位置検出部２０によって位置が検出された場合に、検出された位置と携帯電話２の向きを基準にして画像表示部１０が設置されている位置を示す画像を、送信部７０を介して携帯電話２に送信する。ここで、画像表示部１０が設置されている位置を示す画像は、例えば、ユーザの現在位置から見た、画像表示部１０が設置されている位置が示されている矢印の画像である。これにより、画像表示装置１は、画像表示部１０の位置をユーザに知らせることができる。したがって、本実施形態の画像表示装置１は、位置を変更するユーザに対して、ユーザ毎に個別の画像を表示しつつ、画像表示部１０に表示する画像の視認率を向上させることができる。
【００８８】
さらに、制御部４０は、位置検出部２０によって検出された位置または方向が変化した場合に、検出された位置及び方向を基準にした、画像表示部１０が設置されている位置の方向を示す情報を、送信部７０を介して可搬媒体に送信してもよい。本実施形態の画像表示装置１によれば、例えば携帯電話２の画面に、画像表示部１０の位置が表示され、さらにユーザの移動に従って画像表示部１０の位置が更新されて表示される。これにより、画像表示装置１は、画像表示部１０の位置をユーザに知らせることができる。したがって、本実施形態の画像表示装置１は、位置を変更するユーザに対して、ユーザ毎に個別の画像を表示しつつ、画像表示部１０に表示する画像の視認率を向上させることができる。
【００８９】
なお、本実施形態の画像表示装置１は、位置検出部２０によって検出される位置には、ユーザの身長を示す情報が含まれており、制御部４０は、検出された位置に含まれるユーザの身長を示す情報に基づいて、視野角を設定する構成にしてもよい。図１２は、ユーザの身長と視野角との関係を示す構成図である。
図１２に示すように、位置検出部２０は、ユーザの身長を検出し、制御部４０は、検出されたユーザの身長に合わせて画像を表示させる視野角を設定することができる。これにより、画像表示装置１は、例えば大人や子どもなど、身長に差があるユーザに対して、ユーザの視線の位置に合わせて画像を表示することができる。したがって、本実施形態の画像表示装置１は、位置を変更するユーザに対して、ユーザ毎に個別の画像を表示しつつ、画像表示部１０に表示する画像を適切な位置に表示することができる。
【００９０】
なお、本実施形態の画像表示装置１は、画像表示部１０に表示される画像がユーザにより視認される範囲を撮像し、撮像した画像を出力する位置撮像部９０を備え、位置検出部２０は、位置撮像部９０によって撮像された画像に、顔の画像が含まれる場合に、当該顔の画像に基づいてユーザの位置を検出する構成にすることもできる。図１３は、位置撮像部９０を備えている画像表示装置１の構成を示す構成図である。
図１３に示すように、例えばカメラによって撮像した、ユーザの画像を含む画像を、画像処理してユーザの位置を検出することもできる。これにより、画像表示装置１は、例えば自動改札機などが備えられていない場所や、ユーザがＧＰＳ機能付きの携帯電話などの可搬媒体を所持していない場合であっても、ユーザの位置を検出することができる。これにより、画像表示装置１は、画像表示部１０に表示される画像を、ユーザに視認されやすく表示することができる。したがって、本実施形態の画像表示装置１は、位置を変更するユーザに対して、ユーザ毎に個別の画像を表示しつつ、画像表示部１０に表示する画像の視認率を向上させることができる。
【００９１】
なお、本実施形態の画像表示装置１は、例えばユーザの身長に合わせて画像の内容を選択することとしてもよい。すなわち、画像表示装置１は、属性検出部３０によって検出される属性にはユーザの身長を示す情報が含まれ、変更部５０は、検出された属性に含まれるユーザの身長を示す情報に基づいて、画像表示部１０に表示させる画像を変更してもよい。図１４は、ユーザの身長を検出する属性検出部３０を備えている画像表示装置１の構成を示す構成図である。
図１４に示すように、属性検出部３０がユーザの属性として、ユーザの身長を検出し、変更部５０は、検出されたユーザの身長を示す情報に基づいて、画像表示部１０に表示させる画像を選択することにより、例えば大人用の情報や子ども用の情報など、ユーザの身長に合わせて画像を表示することができる。これにより、画像表示装置１は、ユーザの注意を引きやすい画像を、画像表示部１０に表示させることができる。したがって、本実施形態の画像表示装置１は、位置を変更するユーザに対して、ユーザ毎に個別の画像を表示しつつ、画像表示部１０に表示する画像の視認率を向上させることができる。
【００９２】
なお、本実施形態の画像表示装置１は、画像表示装置１は、画像表示部１０に表示される画像が視認される範囲を撮像し、撮像した画像を出力する属性撮像部１３０を備え、属性検出部３０は、属性撮像部１３０によって撮像された画像に、ユーザの画像が含まれる場合に、当該ユーザの画像に基づいて属性を検出してもよい。図１５は、属性撮像部１３０を備えている画像表示装置の構成を示す構成図である。
図１５に示すように、画像表示装置１は、例えば属性撮像部１３０としてビデオカメラを備えている。画像表示装置１は、属性撮像部１３０によって撮像した、ユーザの画像を含む画像を、画像処理によってユーザの性別や年齢、身長などの属性を検出することができる。
これにより、画像表示装置１は、ユーザが、ユーザの属性を示す情報が予め記憶されている可搬媒体２を所持していない場合であっても、ユーザの属性に応じて、画像表示部１０に表示する画像の内容を選択することができる。これにより、画像表示装置１は、ユーザの注意を引きやすい画像を、画像表示部１０に表示させることができる。したがって、本実施形態の画像表示装置１は、位置を変更するユーザに対して、ユーザ毎に個別の画像を表示しつつ、画像表示部１０に表示する画像の視認率を向上させることができる。
【００９３】
なお、第１の実施形態と同様に、本実施形態の画像表示装置１は、例えばスピーカなどの音響装置を備え、ユーザが画像表示装置１の前を通過する際に、音を発することが可能である。これにより、画像表示装置１は、画像表示部１０の存在をユーザに知らせることができる。したがって、本実施形態の画像表示装置１は、位置を変更するユーザに対して、ユーザ毎に個別の画像を表示しつつ、画像表示部１０に表示する画像の視認率を向上させることができる。
さらに、第１の実施形態と同様に、音出力部６０は、設定される視野角に基づいて、出力する音の指向角または音量を設定してもよい。
【００９４】
また、第１の実施形態と同様に、図２（ｂ）に示すように、変更部５０は、属性に基づいて、画像表示部１０に表示させる画像を変換して、画像表示部１０に表示させる画像を変更してもよい。また、第１の実施形態と同様に、図２（ｃ）に示すように、変更部５０は、属性に基づいて、画像表示部１０に表示させる画像を遮断して、画像表示部１０に表示させる画像を変更してもよい。
【００９５】
なお、上記の実施形態において画像表示部１０は、例えば液晶ディスプレイとしているが、これに限られず、プラズマディスプレイや発光ダイオードアレイなどによるものであってもよい。
また、上記の実施形態において視野角制限部材１３は、例えばレンチキュラーレンズとしているが、これに限られず、パララックスバリアを使用したものや、表示器の光源そのものに指向性を持たせたものであってもよい。
【００９６】
また、上記の実施形態において視野角は、予め定められた複数の視野角から選択して設定されるが、これに限られない。例えば、制御部４０が、レンズの曲率や偏光板の方向を連続的に変化させて、視野角を設定してもよい。
【００９７】
なお、図１における、制御部４０、または、この制御部４０が備えている各部、及び変更部５０、またはこの変更部５０が備えている各部は、専用のハードウェアによって実現されるものであってもよく、また、メモリおよびマイクロプロセッサによって実現させるものであってもよい。
【００９８】
また、この制御部４０、または、この制御部４０またはこの変更部５０が備えている各部はメモリおよびＣＰＵ（中央演算装置）によって構成され、この制御部４０、または、この制御部４０が備えている各部、及び図２における変更部５０、またはこの変更部５０が備えている各部の機能を実現するためのプログラムをメモリにロードして実行することによってその機能を実現させるものであってもよい。
【００９９】
また、図１における、この制御部４０、または、この制御部４０が備えている各部、及び変更部５０、またはこの変更部５０が備えている各部の機能を実現するためのプログラムをコンピュータ読み取り可能な記録媒体に記録して、この記録媒体に記録されたプログラムをコンピュータシステムに読み込ませ、実行することによって、この制御部４０、または、この制御部４０が備えている各部、及び変更部５０、またはこの変更部５０が備えている各部による処理を行ってもよい。なお、ここでいう「コンピュータシステム」とは、ＯＳや周辺機器等のハードウェアを含むものとする。
【０１００】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【０１０１】
以上、この発明の実施形態を図面を参照して詳述してきたが、具体的な構成はこの実施形態に限られるものではなく、この発明の要旨を逸脱しない範囲の設計等も含まれる。
【符号の説明】
【０１０２】
１…画像表示装置、２…携帯電話（可搬媒体）、５…ＩＣカード（可搬媒体）、１０…画像表示部、２０…位置検出部、３０…属性検出部、４０…制御部、５０…変更部、６０…音出力部、７０…送信部、８０…位置受信部、９０…位置撮像部、１００…センサ（通過検出部）、１１０…補助表示部、１２０…センサ（属性受信部）、１３０…属性撮像部、２０１…位置記憶部（位置情報検出部）、２０３…表示部
【図１】
2013061401.tif 000003
【図２】
2013061401.tif 000004
【図３】
2013061401.tif 000005
【図４】
2013061401.tif 000006
【図５】
2013061401.tif 000007
【図６】
2013061401.tif 000008
【図７】
2013061401.tif 000009
【図８】
2013061401.tif 000010
【図９】
2013061401.tif 000011
【図１０】
2013061401.tif 000012
【図１１】
2013061401.tif 000013
【図１２】
2013061401.tif 000014
【図１３】
2013061401.tif 000015
【図１４】
2013061401.tif 000016
【図１５】
2013061401.tif 000017